(57)【要約】【課題】磁気回路の幅を狭くできると共に、大きな出力音圧レベルが得られるスピーカを提供することを課題とする。【解決手段】着磁方向が振動板の振動方向と交差する方向であるメインマグネット５７と、メインマグネット５７の着磁方向と交差する二つの面のうちの一方の面に設けられ、振動板の振動方向であって、メインマグネット５７から離れる方向に延びるセンタポール５５ｃを有する第１サイドヨーク５５と、メインマグネット５７の着磁方向と交差する二つの面のうちの他方の面に設けられ、センタポール５５ｃの周面と空間を介して対向する内壁面を有する穴６１ｃが形成された第２サイドヨーク６１と、第１サイドヨーク５５のメインマグネット５７に設けられる面と反対側の面に、メインマグネット５７と逆極性となるように設けられたサブマグネット５９と、からなる磁気回路を有する。【選択図】図１
2013251836.tif 000002
【特許請求の範囲】
【請求項１】
着磁方向が振動板の振動方向と交差する方向であるメインマグネットと、
該メインマグネットの着磁方向と交差する二つの面のうちの一方の面に設けられ、前記振動板の振動方向であって、前記メインマグネットから離れる方向に延びるセンタポールを有する第１サイドヨークと、
前記メインマグネットの着磁方向と交差する二つの面のうちの他方の面に設けられ、前記センタポールの周面と空間を介して対向する内壁面を有する穴が形成された第２サイドヨークと、
前記第１サイドヨークの前記メインマグネットに設けられる面と反対側の面に、前記メインマグネットと逆極性となるように設けられたサブマグネットと、
からなり、
前記第２サイドヨークの前記穴の内壁面と前記センタポールの周面との間に、磁気ギャップが形成される磁気回路を有することを特徴とするスピーカ。
【請求項２】
前記センタポールは前記第１サイドヨークと別部材であることを特徴とする請求項１記載のスピーカ。
【請求項３】
前記第２サイドヨーク上に、前記センタポールが遊嵌する穴が形成されたプレートを設け、
該プレートの穴の内壁面と前記前記センタポールの周面との間隔を前記第２サイドヨークの前記穴の内壁面と前記センタポールの周面との間隔より狭く設定したことを特徴とする請求項１または２記載のスピーカ。
【発明の詳細な説明】
【技術分野】
【０００１】
本発明は、スピーカに関し、さらに詳しくは、スピーカの磁気回路の改善に関する。
【背景技術】
【０００２】
一般のスピーカでは、振動板の振動方向と磁気回路の着磁方向とが一致し、振動板の径Ａと、マグネットを有する磁気回路の幅（径）Ｂとの間には、Ａ＞Ｂという形状が多い。
【０００３】
しかし、小口径で、能率が小さなスピーカでは、磁気回路のマグネットのエネルギー積を大きくするために、磁気回路の幅（径）Ｂが大きくなり、Ａ＜Ｂとなる場合がある。
【０００４】
そこで、磁気回路のマグネットのエネルギー積を大きくするために、フェライトマグネットよりも保磁力が大きいネオジムマグネットを用いることがなされる。しかし、ネオジムマグネットを用いた磁気回路はコストが高いという問題点がある。
【０００５】
そこで、安価なフェライトのマグネットを用いても、磁気回路の幅（径）が小さくなる磁気回路が提案されている。この磁気回路のマグネットは、着磁方向が振動板の振動方向と交差すように配置されている（例えば、特許文献１参照）。
【先行技術文献】
【特許文献】
【０００６】
【特許文献１】実開昭５８−１４１６９１号公報
【発明の開示】
【発明が解決しようとする課題】
【０００７】
しかし、特許文献１に記載された磁気回路では、大きなフェライトマグネットを用いても、振動板の駆動力が小さく、所望の出力音圧レベルが得られない場合がある。
【０００８】
本発明は、上記問題点に鑑みてなされたもので、磁気回路の幅を狭くできると共に、大きな出力音圧レベルが得られるスピーカを提供することにある。
【課題を解決するための手段】
【０００９】
上記課題のうち少なくとも一つを実現するために、本発明の一側面を反映したスピーカは、着磁方向が振動板の振動方向と交差する方向であるメインマグネットと、該メインマグネットの着磁方向と交差する二つの面のうちの一方の面に設けられ、前記振動板の振動方向であって、前記メインマグネットから離れる方向に延びるセンタポールを有する第１サイドヨークと、前記メインマグネットの着磁方向と交差する二つの面のうちの他方の面に設けられ、前記センタポールの周面と空間を介して対向する内壁面を有する穴が形成された第２サイドヨークと、前記第１サイドヨークの前記メインマグネットに設けられる面と反対側の面に、前記メインマグネットと逆極性となるように設けられたサブマグネットと、からなり、前記第２サイドヨークの前記穴の内壁面と前記センタポールの周面との間に、磁気ギャップが形成される磁気回路を有するものである。
【発明の効果】
【００１０】
本発明のスピーカによれば、着磁方向が振動板の振動方向と交差する方向であるメインマグネットと、該メインマグネットの着磁方向と交差する二つの面のうちの一方の面に設けられ、前記振動板の振動方向であって、前記メインマグネットから離れる方向に延びるセンタポールを有する第１サイドヨークと、前記メインマグネットの着磁方向と交差する二つの面のうちの他方の面に設けられ、前記センタポールの周面と空間を介して対向する内壁面を有する穴が形成された第２サイドヨークと、前記第１サイドヨークの前記メインマグネットに設けられる面と反対側の面に、前記メインマグネットと逆極性 となるように設けられたサブマグネットと、からなり、前記第２サイドヨークの前記穴の内壁面と前記センタポールの周面との間に、磁気ギャップが形成される磁気回路を有することにより、磁気回路の幅を狭くできると共に、大きな出力音圧レベルが得られる。
【図面の簡単な説明】
【００１１】
【図１】第１実施形態のスピーカの断面図で、図２の切断線I−Iでの断面図ある。
【図２】図１のスピーカの斜視図である。
【図３】第２実施形態のスピーカの断面図である。
【図４】第３実施形態のスピーカの断面図である。
【図５】第４実施形態のスピーカの斜視図である。
【発明を実施するための形態】
【００１２】
＜第１実施形態＞
図１−図２を用いて、第１実施形態のスピーカを説明する。図１は第１実施形態のスピーカの断面図で、図２の切断線I−Iでの断面図、図２は図１のスピーカの斜視図である。
【００１３】
まず、本実施形態のスピーカの全体構成を説明する。本実施形態のスピーカ１は、トラック形状（角丸長方形）の開口１１ａを有したフレーム１１と、フレーム１１の開口１１ａに配置された略ドーム形状の振動板３１と、振動板３１を駆動する磁気回路５１とに大別される。
【００１４】
次に、フレーム１１、振動板３１、磁気回路５１のさらなる説明を行う。
【００１５】
フレーム１１は、中央部に穴１１ｂが形成されたトラック形状の底部１１ｃと、底部１１ｃの周部から底部１１ｃと略直交するように折曲され、底部１１ｃから離れる方向に延びる第１立壁部１１ｄと、立壁部１１ｄの先端部から立壁部１１ｄと略直交するように折曲され、外部に向かって広がるように形成されたフランジ部１１ｅと、フランジ部１１ｅの周部から底部１１ｃと略直交するように折曲され、底部１１ｃから離れる方向に延びる第２立壁部１ｆとからなっている。即ち、フレーム１１の形状は、一方の面側が開口１１ａ、他方の面側が底部１１ｃとなった略有底筒状となっている。  
【００１６】
振動板３１の外周部は、エッジ３３を介してフレーム１１のフランジ部１１ｅに取り付けられている。また振動板３１の外周部には、ボイスコイル３５が取り付けられる。ボイスコイル３５は、断面形状がトラック形状で、両側の端面が開放面となり、一方の端面側が振動板３１の外周部に取り付けられる筒状のボビン３７と、ボビン３７の外面に巻回され、電気信号が供給されるコイル３９とからなっている。
【００１７】
尚、ボビン３７の外径は、フレーム１１の底部１１ｃの穴１１ｂより小さく設定されている。そして、ボイスコイル３５のボビン３７はフレーム１１の底部１１ｃの穴１１ｂを介して、フレーム１１の外部に突出している。
【００１８】
フレーム１１の底部１１ｃの外面には、磁気回路５１が設けられる。磁気回路５１は、第１サイドヨーク５５と、第２サイドヨーク６１と、メインマグネット５７と、サブマグネット５９とからなっている。
【００１９】
フレーム１１の底部１１ｃの外部には、メインマグネット５７が配置される。このメインマグネット５７は、板状で、着磁方向（図１において矢印Ｂ方向）は、振動板３１の振動方向（図１において矢印Ａ方向）と交差する方向（本実施形態では、略直交）となっている。
【００２０】
第１サイドヨーク５５は、メインマグネット５７の着磁方向と交差する二つの面５７ａ、５７ｂのうちの一方の面５７ａに設けられる板状の本体部５５ａと、本体部５５ａのフレーム１１側の端部に一体的に設けられ、本体部５５ａのメインマグネット５７の着磁方向の厚さより厚さが厚い基部５５ｂと、基部５５ｂに一体的に設けられ、振動板３１の振動方向であって、メインマグネット５７から離れる方向に延びるセンタポール５５ｃとからなっている。センタポール５５ｃの断面形状は、ボイスコイル３５のボビン３７の断面形状より小さく設定されている。
【００２１】
第２サイドヨーク６１は、メインマグネット５７の着磁方向と交差する二つの面のうちの他方の面５７ｂに設けられる板状の本体部６１ａと、本体部６１ａのフレーム１１側の端部から折曲され、フレーム１１の底部１１ｃに取り付けられる取付部６１ｂとからなっている。この取付部６１ｂには、フレーム１１の底部１１ｃの穴１１ｂと対向し、第１サイドヨーク５５のセンタポール５５ｃが挿通し、センタポール５５ｃの周面と空間を介して対向する内壁面を有する穴６１ｃが形成されている。
【００２２】
そして、センタポール５５ｃは、フレーム１１の底部１１ｃの穴１１ｂを介して、ボイスコイル３５のボビン３７の内筒部に嵌入している。
【００２３】
サブマグネット５９は、第１サイドヨーク５５のメインマグネット５７に設けられる面５５ｄと反対側の面５５ｅに設けられ、メインマグネット５７と逆極性となるように設けられている。
【００２４】
このような構成の磁気回路５１では、第２サイドヨーク６１の穴６１ｃの内壁面と、第１サイドヨーク５５のセンタポール５５ｃの外面との間には、磁気ギャップＧが形成される。
【００２５】
そして、振動板３１に取り付けられるボイスコイル３５のコイル３９が磁気ギャップＧに配される。
【００２６】
上記構成のスピーカの作動を説明する。ボイスコイル３５のコイル３９に電気信号が入力されると、コイル３９に発生する駆動力により、振動板３１が図１において矢印Ａ方向に振動し、音が放射される。
【００２７】
上記構成によれば、以下のような効果が得られる。
【００２８】
(1) 着磁方向が振動板３１の振動方向と交差する方向であるメインマグネット５７と、
メインマグネット５７と逆極性となるように設けられたサブマグネット５９とを用い、メインマグネット５７、サブマグネット５９の振動板３１の振動方向の長さを適宜設定することにより、磁気回路の幅を狭くできると共に、大きな出力音圧レベルが得られる。
【００２９】
＜第２実施形態＞
図３を用いて説明する。図３は第２実施形態のスピーカの断面図である。尚、図３において、第１実施形態と同一部分には同一符号を付し、重複する説明は省略する。本実施形態と第１実施形態との相違点は、センタポールである。第１実施形態のセンタポール５５は、冷間鍛造等の手法により、第１サイドヨーク５５と一体的に形成されていた。本実施形態では、センタポール１５３と第１ボトムヨーク５５とを別部材とし、両者はかしめ、接着、溶接等の手法で取り付けられている。
【００３０】
このような構成によれば、第１実施形態で得られる効果に加え、第１サイドヨークとセンタポールとを一体化する構成に比べ、金型構造が単純となり、金型コストの低減化を図るとともに、生産性の向上を図れる。
【００３１】
＜第３実施形態＞
図４−図５を用いて説明する。図４は第３実施形態のスピーカの断面図、図５は磁気回路の斜視図である。尚、図４−図５において、第２実施形態と同一部分には同一符号を付し、重複する説明は省略する。本実施形態と第２実施形態との相違点は、第１サイドヨーク５上に、磁束を通しやすい金属でなり、センタポール１５３の周面と空間を介して対向する内壁面を有する穴２０１ａを有するプレート２０１を設けた点である。
【００３２】
このような構成によれば、第２実施形態で得られる効果に加え、次のような効果が得られる。プレート２０１の穴２０１ａは、寸法精度が高いプレス加工で形成することができる。よって、プレート２０１の穴２０１ａの内壁面とセンタポール１５３の周面との距離を第２サイドヨーク６１の穴６１ｃの内壁面とセンタポール１５３の周面との距離をより短くすることができる。この場合、磁気回路５１の磁気ギャップＧは、プレート２０１の穴２０１ａの内壁面とセンタポール１５３の周面との間の空間となる。よって、本実施形態の磁気ギャップＧの間隔は、第１実施形態、第２実施形態の磁気ギャップＧの間隔より狭くなり、磁気ギャップＧでの磁気抵抗が小さくなり、大きな出力音圧レベルが得られる。
【符号の説明】
【００３３】
５１  磁気回路
５５  第１サイドヨーク
５５ｃ  センタポール
５７  メインマグネット
５９  サブマグネット
６１  第２サイドヨーク
【図１】
2013251836.tif 000003
【図２】
2013251836.tif 000004
【図３】
2013251836.tif 000005
【図４】
2013251836.tif 000006
【図５】
2013251836.tif 000007